(57)【要約】【課題】  この発明の目的は、水がこぼれにくく、しかも、その水を積極的に排出しやすい容器を提供することである。【解決手段】  この発明の容器は、容器本体ｘの上部開口５に、内側に向かって開口を小さくする関係にした水止め部６を設け、この水止め部６と容器本体ｘとの間に水溜まり空間７を形成する構成にし、かつ、上記容器本体ｘの底部８を開閉する底部開口９を設けたものである。したがって、当該容器の搬送途中では水がこぼれにくいが、それを積極的に排出するときには、底部開口９から排出することができる。【選択図】  図１
2005225534.tif 000002
【特許請求の範囲】
【請求項１】
容器本体の上部開口に、内側に向かって開口を小さくする関係にした水止め部を設け、この水止め部と容器本体との間に水溜まり空間を形成する構成にし、かつ、上記容器本体の底部を開閉する底部開口を設けたことを特徴とする容器。
【請求項２】
上記容器本体の底部を底部開口に向かって先細りにしたことを特徴とする請求項１記載の容器。
【請求項３】
紙製の容器本体に防水性フィルムからなる袋を挿入したことを特徴とする請求項１または２記載の容器。
【請求項４】
紙製の容器本体には底部開口に向かって先細りにした底部材を組み込んだことを特徴とする請求項３記載の容器。
【請求項５】
容器本体が、外枠部材と、この外枠部材の上部に組み付けた上部開口部材と、外枠部材の底部に組み込んだ底部材とからなり、上記上部開口部材は、その開口部を、内側下方に向かって先細りにしたことを特徴とする請求項４記載の容器。
【発明の詳細な説明】
【技術分野】
【０００１】
この発明は、例えば、生花用の容器のように水を入れたまま搬送するのに適した容器に関する。
【背景技術】
【０００２】
例えば、生花を活けたまま搬送する生花用容器として、図５に示すプラスチック製容器が従来から知られている。この従来のプラスチック製容器は、容器本体１にそれとは別体の蓋部材２を装着している。そして、蓋部材２は、その上部に開口部２ａを形成するとともに、この開口部２ａを内側に折り返して筒部３としている。このようにした蓋部材２は、その筒部３が容器本体１の中に位置するようにして、容器本体１に装着する。そして、この装着状態において、蓋部材２と筒部３との間に水溜まり空間３ａが形成される構成にしている。
【０００３】
上記のようにして蓋部材２を容器本体１に装着することによって、筒部３が容器本体１の中に位置するが、上記開口部２ａの折り返し部分と筒部３とが相まって、容器本体１が傾いたり倒れたりしたとき、その中の水がこぼれ出るのを防止する機能を果たす。例えば、容器本体１が横倒しになったときには、水が上記水溜まり空間３ａに溜まるので、開口部２ａから水がこぼれたりしない。したがって、この容器は、水を入れて生花を搬送する際に利用される。
【０００４】
なお、この容器は、実際に販売されているものであるが、この分野についての先行技術文献調査は行っていない。
【発明の開示】
【発明が解決しようとする課題】
【０００５】
図５に示す従来の容器は、水が不用意にこぼれたりしないという利点があるが、その中の水を積極的に排出したいときには、その水が水溜まり空間３ａに溜まってしまうので、それを排出しにくいというよりも、ほとんど不可能に近かった。この問題を解決するためには、容器本体１と蓋部材２とを外せるようにしなければならないが、それを外せるようにすると今度は容器本体１と蓋部材２との間のシール性が問題になってしまう。
この発明の目的は、水がこぼれにくく、しかも、その水を積極的に排出しやすい容器を提供することである。
【課題を解決するための手段】
【０００６】
第１の発明は、容器本体の上部開口に、内側に向かって開口を小さくする関係にした水止め部を設け、この水止め部と容器本体との間に水溜まり空間を形成する構成にし、かつ、上記容器本体の底部を開閉する底部開口を設けた点に特徴を有する。
第２の発明は、上記容器本体の底部を底部開口に向かって先細りにした点に特徴を有する。
第３の発明は、紙製の容器本体に防水性フィルムからなる袋を挿入した点に特徴を有する。
【０００７】
第４の発明は、紙製の容器本体には底部開口に向かって先細りにした底部材を組み込んだ点に特徴を有する。
第５の発明は、容器本体が、外枠部材と、この外枠部材の上部に組み付けた上部開口部材と、外枠部材の底部に組み込んだ底部材とからなり、上記上部開口部材は、その開口部を、内側下方に向かって先細りにした点に特徴を有する。
【発明の効果】
【０００８】
第１の発明によれば、水止め部が機能して水溜まり空間が形成される構成にしたので、水を入れたまま容器本体を倒したとしても、容器本体内の水が簡単には流出しない。また、底部開口を開けば、容器本体内の水を積極的に排出することができる。つまり、一度入れた水はなかなか流出しにくいが、それを積極的に排出するときには、簡単に排出することができるというように、二律背反的な課題を同時に解決できる。
【０００９】
第２の発明によれば、容器本体の底部を底部開口に向かって先細りにしたので、容器本体内の有効容積を小さくできるとともに、容器本体内の水を余すところなく排出することができる。上記のように、容器本体内の有効容積を小さくできるので、そこに入れる水の量も少なくできる。水の量が少なくなれば、搬送時の重量も軽くなるので、搬送効率も上がることになる。また、容器本体の底部を底部開口に向かって先細りにしたので、例えば、生花などを入れたとき、その茎の先端部分が先細り部分に収束させることができる。生花の茎の先端を収束させられるので、すべての茎に水が吸い上げられることになる。
【００１０】
第３の発明によれば、防水性フィルムからなる袋を用いたので、容器本体そのものは紙で作り上げることができる。容器本体を紙製にできるので、その表面の印刷などが自由になり、それだけカラフルで個性的なデザインが可能になる。また、防水性フィルムからなる袋は、それを底部開口からつまみ出すことができるので、その袋内の水を排出するときに、水溜まり空間に水が滞ることもなくなる。さらにまた、防水性フィルムからなる袋によって底部開口のシール機能が果たされるので、底部開口における特別なシール構造が不要になる。
【００１１】
第４の発明によれば、容器本体に底部開口に向かって先細りにした底部材を組み込む構成にしたので、底部材を組み込むだけで、容器本体内の有効容積を小さくできる。例えば、紙製の容器本体に直接細工を加えて、その容積を小さくしようとすると、その構成が複雑にならざるを得ない。しかし、この第４の発明のように、底部材を組み込むようにすれば、その構成自体を簡単にすることができる。
【００１２】
第５の発明は、容器本体が、外枠部材と、この外枠部材の上部に組み付けた上部開口部材と、外枠部材の底部に組み込んだ底部材とから構成されるので、それらの各部材の形状等をかなりの自由度を持って設計することができる。
【発明を実施するための最良の形態】
【００１３】
図１および図２に示した第１実施形態は、プラスチック製の容器本体ｘを備えるとともに、その容器本体ｘの底部８に同じくプラスチック製の底部材４を組み込んだものである。
上記容器本体ｘは、上側部材ｘ1と下側部材ｘ2とを溶着して両者間の水密性を維持している。また、この容器本体ｘは、上部開口５に、内側下方に向かって先細りにした水止め部６を設けて、上部開口５が下方に向かって小さくなるようにしている。これを容器本体ｘの内部から見れば、上部開口５の部分に折り返し部が形成されることになるが、この折り返し部内側が、この発明の水溜まり空間７を構成することになる。
【００１４】
また、上記容器本体ｘの底部８には底部開口９を設けているが、この底部開口９は蓋部材１０で開閉できるようにしている。なお、この蓋部材１０は、それを閉じたとき、底部開口９の周囲を水密にシールして、そこから水が漏れたりしないようにするとともに、そのシール状態を維持できるようにしている。そして、この蓋部材１０は、容器本体ｘと一体に構成してもよいし、別体にしてもよい。要するに、蓋部材１０を閉じることによって、底部開口９の周囲が水密にシールされる構成であれば、どのようなものでもよい。
【００１５】
一方、上記底部材４は、底部開口９に向かって先細りになるロート状にしたものである。そして、ロート状の底部材４を容器本体ｘの底部８に組み込むことによって、次のような効果を期待できる。
先ず、容器本体ｘ内の水を排出するために底部開口９を開けば、その水はすべて底部開口９に導かれることになる。したがって、容器本体ｘ内の排出効果が非常によくなる。
【００１６】
また、容器本体ｘ内の有効容積を小さくすることもできる。このように容器本体ｘ内の有効容積を小さくすれば、そこに入れる水の量も少なくてすむので、水が少なくてよい分だけ、搬送時の重量も軽くなり搬送効率もよくなる。
【００１７】
さらに、底部８の底部開口９に向かって先細りにできるので、容器本体ｘに入れた水をこの底部材４の先細り部分に集めることができる。このように先細り部分に水を集めた状態で、例えば、当該容器本体ｘに生花などを入れれば、その茎の先端部分を水が集まっている先細り部分に収束させることができる。生花の茎の先端を、水の集まっている先細り部分に収束させられるので、すべての茎に水が吸い上げられることになる。
【００１８】
次に、この第１実施形態の容器を、生花を入れる容器として使用したときの利用形態を説明する。
先ず、容器本体ｘの底部８に底部材４を組み込んでおくとともに、蓋部材１０をしっかりと閉じて底部開口９の周りをシールする。このようにした容器本体ｘに水を入れるが、このときに、水を容器本体ｘに目一杯入れる必要はない。なぜなら、底部材４の先細り形状によって、底部材４内に水を集中的に溜めることができるとともに、その水の量は、生花の茎の先端が水に浸り、かつ、最小限、生花が必要とする量が確保されていればよいからである。
【００１９】
上記のように水の量が少なくてすむということは、水資源の有効利用はもちろんであるが、搬送中の重量を軽くできるという効果がある。
また、容器本体ｘに入れる水の量が少ないので、容器本体ｘを間違って倒したときにも、水が容器本体ｘからこぼれるようなこともなくなる。例えば、容器本体ｘを横にした場合を想定すると、図２に示すように、水は水溜り空間７に溜まるが、このときの水位ｈが、水止め部６の長さＬよりも低ければ水がこぼれない。そして、容器本体ｘに入れる水の量を少なくすれば、上記水位ｈを低く保てるので、結局、上記したように水が容器本体ｘからこぼれなくなる。しかも、水止め部６は、上部開口５を下方に向かって先細りになる形状にしているので、言い換えると、容器本体ｘを横にしたときには水止め部６が内側に向かって鋭角になるので、さらに、水がこぼれにくくなる。
【００２０】
一方、容器本体ｘに入れた水を排出するときには、上部開口５を上にして底部開口９を下にして、蓋部材１０を開ければよい。このようにして蓋部材１０を開けると、底部材４に集中していた水を一気に排出できる。特に、底部材４の下端開口と底部開口９とを一致させておけば、水を完全に排出できるようになる。
なお、上記第１実施形態では、水止め部６を下方に向かって先細りにしたが、それを水平にしてもよい。要するに、容器本体ｘと水止め部６との間に水溜まり空間７が形成されればよい。ただし、第１実施形態のように、水止め部６を下方に向かって先細りにしておけば、水溜まり空間７に入った水がこぼれにくくなるという利点があること前記したとおりである。
【００２１】
図３および図４に示した第２実施形態は、容器本体ｘを、外枠部材１１と、この外枠部材１１の上部に組み付けた上部開口部材１２と、外枠部材１１の底部に組み込んだ底部材１３とで構成し、しかも、これら各部材１１〜１３のそれぞれを紙製にしたものである。
【００２２】
上記外枠部材１１は、その上部を開放して上部開口１１ａとするとともに、底部１１ｂに底部開口１１ｃを形成し、この底部開口１１ｃを開閉する蓋部材１１ｄを設けている。この蓋部材１１ｄは上記底部１１ｂと一体にするとともに、図示しない突片を切り込みに挿入して閉じた状態を保てるようにしている。
【００２３】
また、上部開口部材１２は、外枠部材１１にぴったりとはまる形状を保持した外筒部１２ａと、この外筒部１２ａの上縁を折り返して、それを内側下方に向けて先細りにしたロート状の開口部１２ｂとからなり、この開口部１２ｂの内側に水溜まり空間７が形成されるようにしている。さらに、上記底部材１３は、その上端が外枠部材１１にぴったりとはまるとともに、その下端開口部１３ａを上記底部開口１１ｃに一致させる関係にしている。
【００２４】
上記のようにした容器本体ｘには、耐水性シートからなる袋１４を組み入れるようにしている。すなわち、この袋１４は、その開口部分を開いて上部開口部材１２の外筒部１２ａを覆うようにする。そして、この状態で上部開口部材１２を外枠部材１１にはめることによって、上記外筒部１２ａと外枠部材１１との間に袋１４を挟む。
また、上記のようにした袋１４は、その底の部分が図３に示すように底部材１３内にあって底部開口１１ｃに接する大きさにしている。
【００２５】
上記のようにした容器本体ｘを図３に示すように上部開口１１ａを上にして袋１４内に水を入れれば、その水の重さで袋１４とともに水が底部材１３内に溜まることになる。そして、この場合にも、底部材１３が機能するので、第１実施形態と同様に水の量を少なくできる。
また、容器本体ｘを横にした場合にも、図４に示すように、袋１４とともにその袋１４内の水が、水溜まり空間７に溜まることになる。このように水溜まり空間７に水が溜まれば、第１実施形態の場合と同様に、容器本体ｘから水がこぼれにくくなる。
【００２６】
そして、袋１４内の水を排出するときには、蓋部材１１ｄを開けて、底部開口１１ｃの処にある袋１４を引き出すとともに、容器本体ｘを逆さにする。このように底部開口１１ｃから袋１４を引き出すことによって、容器本体ｘ内において袋１４を直線的にできるので、袋１４内の水を上部開口１１ａ側から排出することができる。言い換えると、袋１４内の水が水溜まり空間７に滞ることなく確実に排出されることになる。
【００２７】
上記のようにした第２実施形態では、第１実施形態と同様に必要とする水の量を少なくでき、それだけ搬送中の重量を軽くすることができる。また、防水性フィルムからなる袋１４を用いたので、容器本体ｘそのものは紙で作り上げることができる。容器本体ｘを紙製にできるので、その表面の印刷などが自由になり、それだけカラフルで個性的なデザインが可能になる。そして、防水性フィルムからなる袋１４は、それを底部開口１１ｃからつまみ出して容器本体ｘ内の袋１４を直線的にできるので、容器本体ｘを逆さにすれば、その中の水を完全に排出することができる。
さらに、防水性フィルムからなる袋１４によって底部開口１１ｃのシール機能が果たされるので、底部開口１１ｃにおける特別なシール構造が不要になる。
【産業上の利用可能性】
【００２８】
上記実施形態では、生花用の容器として説明したが、この発明は、搬送中に水を必要とする容器の全てに利用できる。
【図面の簡単な説明】
【００２９】
【図１】第１実施形態の断面図である。
【図２】第１実施形態の容器本体を横倒しにした状態の断面図である。
【図３】第２実施形態の断面図である。
【図４】第２実施形態の容器本体を横倒しにした状態の断面図である。
【図５】従来の容器を示す正面図である。
【符号の説明】
【００３０】
ｘ          容器本体
５          上部開口
６          水止め部
７          水溜まり空間
８          底部
９          底部開口
１１        外枠部材
１１ａ      上部開口
１１ｂ      底部
１１ｃ      底部開口
１１ｄ      蓋部材
１２        上部開口部材
１２ｂ      開口部
１３        底部材
１４        袋
【図１】
2005225534.tif 000003
【図２】
2005225534.tif 000004
【図３】
2005225534.tif 000005
【図４】
2005225534.tif 000006
【図５】
2005225534.tif 000007